(57)【要約】【課題】手指の曲げ伸ばし等で、湾出部の空気室内の空気を圧迫し、空気を開放部から手袋外に出したり、空気を開放部から手袋内に吸込み、手袋内と外部とで空気を循環できて、手袋内が蒸れず、快適な使用感が得られ、構成簡素で、量産に適し、低廉な使い捨て手袋を提供する。【解決手段】一対の適宜合成樹脂製手形シート材１を重ねると共に、所定外周縁部分を溶着部２で溶着してなる使い捨て手袋であって、指収容部３夫々の外側縁部分に側方に湾曲状に突出するような適宜湾出部４を形成し、指収容部３に手指を真直ぐにして挿入したときに、湾出部４に於いて手指外表面と指収容部３内表面との間に空気室となる適宜空間を設ける。【選択図】        図２
2004162191.tif 000002
【特許請求の範囲】
【請求項１】
一対の適宜合成樹脂製手形シート材を重ねると共に、その所定外周縁部分を溶着部で溶着してなる使い捨て手袋であって、その指収容部夫々の外側縁部分に側方に湾曲状に突出するような適宜湾出部を形成し、この指収容部に手指を真直ぐにして挿入したときに、湾出部に於いて手指外表面と指収容部内表面との間に空気室となる適宜空間が設けられるように構成したことを特徴とする使い捨て手袋。
【請求項２】
指収容部に手指を真直ぐにして挿入したときに手指外表面に接触するような適宜絞り部を、指収容部夫々の左右外側縁部分に設け、更に、指収容部夫々に於いて、左がわ外側縁に設けた絞り部と右がわ外側縁に設けた絞り部とが、指収容部夫々の長手方向に対して直交する位置で揃わないように配設したことを特徴とする請求項１記載の使い捨て手袋。
【請求項３】
手形シート材の内表面にエンボス加工を施したことを特徴とする請求項１または請求項２記載の使い捨て手袋。
【発明の詳細な説明】
【０００１】
【発明の属する技術分野】
本発明は、例えば、食品類の取扱い時や、医療品等の取扱い時や、清掃作業時や、その他、衛生管理や、手指の保護等の観点から使用される適宜合成樹脂製の使い捨て手袋に関するものである。
【０００２】
【従来の技術】
従来、この種の使い捨て手袋としては、種々のものが提供されており、例えば、特許文献１の使い捨て手袋等がある。
これは、プラスチックフィルムを製袋してなる使い捨て手袋であって、指付け根部の所定範囲を熱融着して該付け根部に融着しぼり部を形成したものである。そして、前述の如き使い捨て手袋によって、作業中に手袋が外れたり、或いは手袋が手からズレ落ちるのをある程度防止できるようになった。
【０００３】
【特許文献１】
実用新案登録第３０４８２６３号（図１）
【０００４】
【発明が解決しようとする課題】
しかしながら、前記使い捨て手袋や、その他の従来の使い捨て手袋にあっては、手袋内が蒸れて、その使用感が悪い難点等が残されていた。
そこで、本発明は、前述の如き難点等の解消を図り、使い捨て手袋内が蒸れず、快適な使用感が得られ、しかも、作業中に使い捨て手袋が外れ難く、使い捨て手袋が手指からズレ難く、構成が簡素で、量産に適し、低廉な使い捨て手袋を提供できるようにすべく案出されたものである。
【０００５】
【課題を解決するための手段】
しかして、請求項１記載の使い捨て手袋にあっては、一対の適宜合成樹脂製手形シート材１を重ねると共に、その所定外周縁部分を溶着部２で溶着してなる使い捨て手袋であって、その指収容部３夫々の外側縁部分に側方に湾曲状に突出するような適宜湾出部４を形成し、この指収容部３に手指を真直ぐにして挿入したときに、湾出部４に於いて手指外表面と指収容部３内表面との間に空気室となる適宜空間が設けられるように構成する手段を採用した。
【０００６】
また、請求項２記載の使い捨て手袋にあっては、指収容部３に手指を真直ぐにして挿入したときに手指外表面に接触するような適宜絞り部５を、指収容部３夫々の左右外側縁部分に設け、更に、指収容部３夫々に於いて、左がわ外側縁に設けた絞り部５と右がわ外側縁に設けた絞り部５とが、指収容部３夫々の長手方向に対して直交する位置で揃わないように配設する手段を採用した。
【０００７】
更に、請求項３記載の使い捨て手袋にあっては、手形シート材１の内表面にエンボス加工６を施す手段を採用した。
【０００８】
【発明の実施の形態】
以下、本発明を図示例に基づいて説明すると、次の通りである。
本発明は、一対の適宜合成樹脂製（例えば、ポリエチレン製）手形シート材１を重ねると共に、その手元の開放部を除いた外周縁部分を溶着部２で溶着してなる使い捨て手袋に係るものである。
そして、本発明の使い捨て手袋は、五本の指収容部３夫々の外側縁部分に側方に湾曲状に突出するような適宜湾出部４を形成したものであって、この指収容部３夫々に手指を真直ぐにして挿入したときに、湾出部４に於いて手指外表面と指収容部３内表面との間に空気室となる適宜空間が設けられるように構成したものである。
【０００９】
すなわち、手指を曲げたり、或いは、手指相互を接近せしめたり、或いは、手指を曲げると共に手指相互を接近せしめること等で、湾出部４の空気室内の空気が圧迫できるように構成され、しかも、圧迫された空気が使い捨て手袋の手元の開放部から手袋外にスムーズに出るように構成されている。また、手指を伸ばしたり、或いは、手指相互を離隔せしめたり、或いは、手指を伸ばすと共に手指相互を離隔せしめること等で、湾出部４の空気室が復元されるようになって、使い捨て手袋の手元の開放部から手袋内に空気が吸込まれるように構成されている。しかして、空気室がポンプとなって使い捨て手袋内と外部とで空気が循環し、使い捨て手袋内が蒸れず（或いは、蒸れの程度が軽減され）、快適な使用感が得られるように構成してある。
【００１０】
更に、本発明の使い捨て手袋は、指収容部３に手指を真直ぐにして挿入したときに手指外表面に接触するような適宜絞り部５を、指収容部３夫々の左右外側縁部分に設けて構成されている。すなわち、作業中等に使い捨て手袋が手指からズレ難く、外れ難くなるように絞り部５が構成されている。
【００１１】
しかも、指収容部３夫々に於いて、左がわ外側縁に設けた絞り部５と右がわ外側縁に設けた絞り部５とが、指収容部３夫々の長手方向に対して直交する位置で揃わないように配設してある。すなわち、使い捨て手袋内と外部との空気の循環が絞り部５によって阻害されず、手袋内と外部との空気の循環がよりスムーズに行え、使い捨て手袋内が蒸れず（或いは、蒸れの程度が一層軽減され）、より快適な使用感が得られるように構成されている。
【００１２】
加えて、本発明の使い捨て手袋は、手形シート材１の内表面にエンボス加工６を施して構成されている。すなわち、手指が手形シート材１内表面にベタつき難く、手指の触感が良好となり、使い捨て手袋内と外部との空気の循環がよりスムーズに行えるように構成してある。
【００１３】
前記手形シート材１は、例えば、廃棄処分が比較的簡単な極薄ポリエチレンシート材等が利用され、これを略手の形に裁断して形成される。しかも、その外周縁部分に湾出部４となる凸部や、絞り部５となる凹部が設けられるような輪郭に裁断される。尚、手形シート材１の具体的構成、形状、寸法、材質等は、図示例等に限定されることなく適宜自由に設定、変更できるものである。
【００１４】
溶着部２は、重ねられた一対の手形シート材１の手元の開放部を除いた外周縁部分に設けられ、その溶着幅はできる限り狭くなるように形成されている。尚、溶着部２の具体的構成、形状、寸法等は、図示例等に限定されることなく適宜自由に設定、変更できるものである。
【００１５】
指収容部３は、五本の手指が無理なく収まるように形成されている。尚、指収容部３の具体的構成、形状、寸法等は、図示例等に限定されることなく適宜自由に設定、変更できるものである。
【００１６】
湾出部４は、例えば、比較的緩やかな略弓形状に突出するように形成され、指収容部３の左右外側縁に適数配されている。ところで、この湾出部４は、その曲げ伸ばしがスムーズに行えるように、手指の関節部分に配置されるのが望ましい。尚、湾出部４の具体的構成、形状、寸法、配設位置、数等は、図示例等に限定されることなく適宜自由に設定、変更できるものである。
【００１７】
絞り部５は、例えば、湾出部４に滑らかに連続するような略弓形状に窪むよう形成され、指収容部３の左右外側縁に適数配されている。尚、湾出部４の具体的構成、形状、寸法、配設位置、数等は、図示例等に限定されることなく適宜自由に設定、変更できるものである。
【００１８】
エンボス加工６は、手形シート材１の裁断時或いは裁断前に、ポリエチレンシート材等の表面に施される。尚、このエンボス加工６の具体的構成、形状、寸法、配設位置等は、図示例等に限定されることなく適宜自由に設定、変更できるものである。また、エンボス加工６は設けなくても良い。
【００１９】
【発明の効果】
従って、本発明の請求項１記載の使い捨て手袋は、一対の適宜合成樹脂製手形シート材１を重ねると共に、その所定外周縁部分を溶着部２で溶着してなる使い捨て手袋であって、その指収容部３夫々の外側縁部分に側方に湾曲状に突出するような適宜湾出部４を形成し、この指収容部３に手指を真直ぐにして挿入したときに、湾出部４に於いて手指外表面と指収容部３内表面との間に空気室となる適宜空間が設けられるように構成したので、手指を曲げるようにすること（或いは、手指相互を接近せしめるようにすること等）で、湾出部４の空気室内の空気が圧迫されるようになって、この空気が使い捨て手袋の手元の開放部から手袋外に出るようになり、また、手指を伸ばすようにすること（或いは、手指相互を離隔せしめるようにすること等）で、湾出部４の空気室が復元されるようになって、使い捨て手袋の手元の開放部から手袋内に空気が吸込まれるようになる。すなわち、湾出部４の空気室がポンプとなって使い捨て手袋内と外部とで空気が循環されるようになり、使い捨て手袋内が蒸れるようなことがなくなり（或いは、蒸れの程度が軽減され）、快適な使用感が得られるものとなる。しかも、使い捨て手袋自体の構成が簡素で、量産に適し、低廉に提供できるものとなる。
【００２０】
また、本発明の請求項２記載の使い捨て手袋は、指収容部３に手指を真直ぐにして挿入したときに手指外表面に接触するような適宜絞り部５を、指収容部３夫々の左右外側縁部分に設け、更に、指収容部３夫々に於いて、左がわ外側縁に設けた絞り部５と右がわ外側縁に設けた絞り部５とが、指収容部３夫々の長手方向に対して直交する位置で揃わないように配設したので、絞り部５によって作業中等に使い捨て手袋が手指からズレ難いものとなり、使い捨て手袋が外れ難いものとなる。
【００２１】
特に、指収容部３夫々に於いて、左がわ外側縁に設けた絞り部５と右がわ外側縁に設けた絞り部５とが、指収容部３夫々の長手方向に対して直交する位置で揃わないように配設したので、使い捨て手袋内と外部との空気の循環が絞り部５によって阻害されるようなことがなくなり、手袋内と外部との空気の循環がよりスムーズに行え、使い捨て手袋内が蒸れず（或いは、蒸れの程度が一層軽減され）、より快適な使用感が得られる使い捨て手袋となる。
【００２２】
更に、本発明の請求項３記載の使い捨て手袋は、手形シート材１の内表面にエンボス加工６を施したので、手指が手形シート材１内表面にベタつき難く、手指の触感が良好となると共に、使い捨て手袋内と外部との空気の循環がよりスムーズに行えるようになる。
【図面の簡単な説明】
【図１】本発明の使い捨て手袋を例示する正面図である。
【図２】本発明の使い捨て手袋を例示する一部切欠正面図である。
【図３】本発明の使い捨て手袋を例示する部分縦断面図である。
【符号の説明】
１      手形シート材                  ２      溶着部
３      指収容部                      ４      湾出部
５      絞り部                        ６      エンボス加工
【図１】
2004162191.tif 000003
【図２】
2004162191.tif 000004
【図３】
2004162191.tif 000005